(57)【要約】【課題】コンパクト且つ低コストでありながら、多機能な小型撮像装置を提供する  至近距離にある被写体をより適切に撮像することができる撮像機能を有する携帯電話機を提供する。【解決手段】モータ１１の動力の一部を取り出して、第２の絞りＡ２を有するアーム１７を駆動する駆動力として伝達するので、モータ１１を一つ設けるのみで、レンズ１６を駆動し、かつアーム１７を駆動できるため、より低コストで多機能な小型撮像装置を提供できる。【選択図】    図２
2004264712.tif 000002
【特許請求の範囲】
【請求項１】
レンズと、
前記レンズを介して結像された光学像を画像信号に変換する撮像素子と、
駆動源と、
前記駆動源の動力を第１の被駆動部材に連続的に伝達する第１の動力伝達機構と、
前記駆動源の動力を第２の被駆動部材に断続的に伝達する第２の動力伝達機構と、を有することを特徴とする小型撮像装置。
【請求項２】
前記第１の被駆動部材とは前記レンズであり、前記第１の動力伝達機構を介して伝達された動力により光軸方向に駆動されることを特徴とする請求項１に記載の小型撮像装置。
【請求項３】
前記第２の被駆動部材とは光量制限部材であり、前記第２の動力伝達機構を介して伝達された動力により、前記レンズの光路内に挿入され、あるいは退避されるように駆動されることを特徴とする請求項１又は２に記載の小型撮像装置。
【請求項４】
前記第２の被駆動部材とは前記レンズと異なる光学素子であり、前記第２の動力伝達機構を介して伝達された動力により、前記レンズの光路内に挿入され、あるいは退避されるように駆動されることを特徴とする請求項１又は２に記載の小型撮像装置。
【請求項５】
前記第２の被駆動部材とは前記小型撮像装置の一部を遮蔽するバリヤ部材であり、前記第２の動力伝達機構を介して伝達された動力により、前記小型撮像装置の一部を遮蔽する遮蔽位置と、前記小型撮像装置の一部を開放位置との間を移動するようになっていることを特徴とする請求項１又は２に記載の小型撮像装置。
【請求項６】
前記レンズと、前記撮像素子と、前記駆動源と、前記第１の動力伝達機構と、前記第２の動力伝達機構とはユニット化されていることを特徴とする請求項１乃至５のいずれかに記載の小型撮像装置。
【請求項７】
レンズと、
前記レンズを介して結像された光学像を画像信号に変換する撮像素子と、
回転軸を有する駆動源と、を有し、
前記回転軸は、第１の被駆動部材に螺合したネジ部と、第２の被駆動部材に当接したフリクション部とを備え、前記ネジ部の回転により前記第１の被駆動部材が螺進すると共に、前記フリクション部の回転により前記第２の被駆動部材がその間に作用する摩擦力によって駆動されることを特徴とする小型撮像装置。
【請求項８】
前記フリクション部は、前記回転軸の先端に設けられていることを特徴とする請求項７に記載の小型撮像装置。
【請求項９】
前記第１の被駆動部材とは前記レンズであり、前記ネジ部の回転に応じて光軸方向に駆動されることを特徴とする請求項７又は８に記載の小型撮像装置。
【請求項１０】
前記第２の被駆動部材とは光量制限部材であり、前記フリクション部の回転に応じて、前記レンズの光路内に挿入され、あるいは退避されるように駆動されることを特徴とする請求項７乃至９のいずれかに記載の小型撮像装置。
【請求項１１】
前記第２の被駆動部材とは前記レンズと異なる光学素子であり、前記フリクション部の回転に応じて、前記レンズの光路内に挿入され、あるいは退避されるように駆動されることを特徴とする請求項７乃至９のいずれかに記載の小型撮像装置。
【請求項１２】
前記第２の被駆動部材とは前記小型撮像装置の一部を遮蔽するバリヤ部材であり、前記フリクション部の回転に応じて、前記小型撮像装置の一部を遮蔽する遮蔽位置と、前記小型撮像装置の一部を開放位置との間を移動するようになっていることを特徴とする請求項７乃至９のいずれかに記載の小型撮像装置。
【請求項１３】
前記レンズと、前記撮像素子と、前記駆動源とはユニット化されていることを特徴とする請求項７乃至１２のいずれかに記載の小型撮像装置。
【請求項１４】
レンズと、
ロック機構と、
前記レンズの移動のための動力と、前記ロック機構のロック又は解除動作のための動力を発生する単一の駆動源と、を有することを特徴とする小型撮像装置。
【請求項１５】
前記ロック機構は、電池の抜き出しを阻止するようにロックすることを特徴とする請求項１４に記載の小型撮像装置。
【請求項１６】
前記ロック機構は、メモリカードの抜き出しを阻止するようにロックすることを特徴とする請求項１４に記載の小型撮像装置。
【請求項１７】
前記レンズを介して結像された光学像を画像信号に変換する撮像素子を備え、前記レンズと、前記撮像素子と、前記駆動源とはユニット化されていることを特徴とする請求項１４乃至１６のいずれかに記載の小型撮像装置。
【請求項１８】
レンズと、
前記レンズを介して結像された光学像を画像信号に変換する撮像素子と、
本体と、
前記本体に対して回動可能な回動部と、
前記レンズの移動のための動力と、前記回動部の前記本体に対する回動のための動力を発生する単一の駆動源と、を有することを特徴とする小型撮像装置。
【請求項１９】
前記レンズと前記撮像素子とは、前記本体に配置されていることを特徴とする請求項１８に記載の小型撮像装置。
【請求項２０】
前記レンズと前記撮像素子とは、前記回動部に配置されていることを特徴とする請求項１８に記載の小型撮像装置。
【請求項２１】
ユニット化されていることを特徴とする請求項１乃至２０のいずれかに記載の小型撮像装置。
【発明の詳細な説明】
【０００１】
【発明の属する技術分野】
本発明は、小型撮像装置に関し、例えば携帯電話機等に搭載されると好適な小型撮像装置に関する。
【０００２】
【従来の技術】
近年、撮影機能を有する携帯電話機の需要が増大しているが、このような携帯電話機には、通常、光学系と撮像素子とを備えた小型の撮像ユニットが搭載されている。このような小型の撮像ユニットを介して得られた画像信号は、内蔵メモリに保存され、液晶モニタに表示されたり、その通信機能を用いて別な端末に送信可能となっている（特許文献１参照）。
【特許文献１】
特開２００２−１０７６１２号公報
【０００３】
【発明が解決しようとする課題】
ところで、例えば携帯電話機は、ユーザーが常に持ち歩くことが多いから、その携帯性を十分に確保すべく、より小型化すべきといえる。又、より低コストを達成するために、携帯電話機に搭載する部品は、なるべく少ない方が好ましい。ところが、携帯電話機とはいえ、その付加価値を高めるために、より多機能であることが要求されることもある。特に近年においては、携帯電話機といえど、一般のデジタルカメラ並に高画質な画像を撮影できることが望まれている。ここで、多機能を達成するためには、例えばレンズのフォーカシング動作や絞りの変更動作など、異なる被駆動部材を駆動することが考えられるが、そのために複数の駆動源を装備すると携帯電話機が大きく重くなり、携帯性が悪化するという問題がある。
【０００４】
本発明は、かかる課題に鑑みてなされたものであり、コンパクト且つ低コストでありながら、多機能な小型撮像装置を提供することを目的とする。
【０００５】
【課題を解決するための手段】
第１の本発明の小型撮像装置は、レンズと、前記レンズを介して結像された光学像を画像信号に変換する撮像素子と、駆動源と、前記駆動源の動力を第１の被駆動部材に連続的に伝達する第１の動力伝達機構と、前記駆動源の動力を第２の被駆動部材に断続的に伝達する第２の動力伝達機構と、を有するので、前記駆動源として例えばモータを一つ設けるのみで、前記第１の被駆動部材として前記レンズを駆動したり、また前記第２の被駆動部材として前記レンズ以外の部材を駆動できるため、より低コストで多機能な小型撮像装置を提供できる。
【０００６】
更に、前記第１の被駆動部材とは前記レンズであり、前記第１の動力伝達機構を介して伝達された動力により光軸方向に駆動されると好ましい。尚、前記レンズを光軸方向に移動させるのは、フォーカシング動作やマクロ撮影への移行などがあるが、それに限られることはない。
【０００７】
又、前記第２の被駆動部材とは光量制限部材（例えば絞り、フィルター等）であり、前記第２の動力伝達機構を介して伝達された動力により、前記レンズの光路内に挿入され、あるいは退避されるように駆動されると好ましい。例えばマクロ撮影などにおいては、通常の撮影時より絞りを小さくすることで被写界深度を高め、よりピントの合う範囲を広げる必要がある。ところが、別個の駆動源としてのモータやアクチュエータで駆動される可変絞り機構を設けると、コンパクト化且つ低コストな構成を達成できない。そこで、前記第２の被駆動部材を絞りとし、例えば前記レンズをマクロ撮影可能な位置に移動させる際に、前記第２の動力伝達機構を介して伝達される動力を用いて、前記絞りを前記レンズの光路内に挿入すれば適切なマクロ撮影を行うことができる。又、前記レンズを通常撮影可能な位置に移動させる際に、前記第２の動力伝達機構を介して伝達される動力を用いて、前記絞りを前記レンズの光路内から退避させると適切な通常撮影を行うことができる。
【０００８】
更に、前記第２の被駆動部材とは前記レンズと異なる光学素子であり、前記第２の動力伝達機構を介して伝達された動力により、前記レンズの光路内に挿入され、あるいは退避されるように駆動されると好ましい。例えばマクロ撮影などにおいては、被写体距離が近くなるので、より高画質な画像を撮影するために収差補正が必要になる場合もある。かかる場合、前記レンズと異なる光学素子を、例えば収差補正用の光学素子として、前記レンズをマクロ撮影可能な位置に移動させる際に、前記第２の動力伝達機構を介して伝達される動力を用いて、前記光学素子を前記レンズの光路内に挿入すれば適切なマクロ撮影を行うことができる。又、前記レンズを通常撮影可能な位置に移動させる際には、収差補正用の光学素子は不要となるので、前記第２の動力伝達機構を介して伝達される動力を用いて、前記光学素子を前記レンズの光路内から退避させればよい。なお、「光学素子」とは、収差補正光学素子のほか、ローパスフィルタ、ＩＲカットフィルタ、偏光フィルタ等があるが、これに限られないことはいうまでもない。
【０００９】
更に、前記第２の被駆動部材とは前記小型撮像装置の一部を遮蔽するバリヤ部材であり、前記第２の動力伝達機構を介して伝達された動力により、前記小型撮像装置の一部を遮蔽する遮蔽位置と、前記小型撮像装置の一部を開放位置との間を移動するようになっていると好ましい。
【００１０】
又、前記レンズと、前記撮像素子と、前記駆動源と、前記第１の動力伝達機構と、前記第２の動力伝達機構とはユニット化されていると、例えば携帯電話などの小型電子機器に組み込むのに便利である。
【００１１】
第２の本発明の小型撮像装置は、レンズと、前記レンズを介して結像された光学像を画像信号に変換する撮像素子と、回転軸を有する駆動源と、を有し、前記回転軸は、第１の被駆動部材に螺合したネジ部と、第２の被駆動部材に当接したフリクション部とを備え、前記ネジ部の回転により前記第１の被駆動部材が螺進すると共に、前記フリクション部の回転により前記第２の被駆動部材がその間に作用する摩擦力によって駆動されるので、前記駆動源として例えばモータを一つ設けるのみで、前記第１の被駆動部材として前記レンズを駆動したり、また前記第２の被駆動部材として前記レンズ以外の部材を駆動できるため、より低コストで多機能な小型撮像装置を提供できる。
【００１２】
更に、前記フリクション部は、前記回転軸の先端に設けられていると好ましい。
【００１３】
又、前記第１の被駆動部材とは前記レンズであり、前記ネジ部の回転に応じて光軸方向に駆動されると好ましい。
【００１４】
更に、前記第２の被駆動部材とは光量制限部材（例えば絞り、フィルター等）であり、前記フリクション部の回転に応じて、前記レンズの光路内に挿入され、あるいは退避されるように駆動されること好ましい。
【００１５】
又、前記第２の被駆動部材とは前記レンズと異なる光学素子であり、前記フリクション部の回転に応じて、前記レンズの光路内に挿入され、あるいは退避されるように駆動されると好ましい。
【００１６】
更に、前記第２の被駆動部材とは前記小型撮像装置の一部を遮蔽するバリヤ部材であり、前記フリクション部の回転に応じて、前記小型撮像装置の一部を遮蔽する遮蔽位置と、前記小型撮像装置の一部を開放位置との間を移動するようになっていると好ましい。
【００１７】
又、前記レンズと、前記撮像素子と、前記駆動源とはユニット化されていると好ましい。
【００１８】
第３の本発明の小型撮像装置は、レンズと、ロック機構と、前記レンズの移動のための動力と、前記ロック機構のロック又は解除動作のための動力を発生する単一の駆動源と、を有するので、前記単一の駆動源として例えばモータを一つ設けるのみで、前記レンズを駆動したり、また前記ロック機構のロック又は解除動作を行えるため、より低コストで多機能な小型撮像装置を提供できる。
【００１９】
更に、前記ロック機構は、電池の抜き出しを阻止するようにロックすると好ましい。
【００２０】
又、前記ロック機構は、メモリカードの抜き出しを阻止するようにロックすると好ましい。
【００２１】
更に、前記駆動源から、前記レンズに対する動力伝達と前記ロック機構に対する動力伝達のいずれかを遮断する遮断機構を有すると好ましい。
【００２２】
又、前記レンズを介して結像された光学像を画像信号に変換する撮像素子を備え、前記レンズと、前記撮像素子と、前記駆動源とはユニット化されていると好ましい。
【００２３】
第４の本発明の小型撮像装置は、レンズと、前記レンズを介して結像された光学像を画像信号に変換する撮像素子と、本体と、前記本体に対して回動可能な回動部と、前記レンズの移動のための動力と、前記回動部の前記本体に対する回動のための動力を発生する単一の駆動源と、を有するので、前記単一の駆動源として例えばモータを一つ設けるのみで、前記レンズを駆動したり、また前記回動部を駆動したりできるため、より低コストで多機能な小型撮像装置を提供できる。
【００２４】
更に、前記レンズと前記撮像素子とは、前記本体に配置されていると好ましい。
【００２５】
又、前記レンズと前記撮像素子とは、前記回動部に配置されていると好ましい。
【００２６】
尚、上記小型撮像装置はユニット化されていると好ましい。
【００２７】
【発明の実施の形態】
以下、本発明の実施の形態を図面に基づいて説明する。
図１は、携帯電話機１００に組み込んだ、本実施の形態における小型撮像装置１０の斜視図であり、図２は、図１のＩＩ−ＩＩ線における小型撮像装置１００の断面図であり、図３は、図２のＩＩＩ−ＩＩＩ線における小型撮像装置１００の断面図である。尚、図２，３に示す構成はユニット化されている。
【００２８】
図１において、携帯電話機１００は、縦長直方体状の筐体１０１と、小型カメラユニット１０とを備えている。筐体１０１の前面には、マクロ撮影モードと通常撮影との撮影に切替えるための操作部材であるモード設定ボタン１０２ａを含む操作部１０２と、液晶ディスプレイ１０３とが配置されている。
【００２９】
図２において、小型カメラユニット１０は、筐体１０１の底面（図１の前面）に設置された撮像素子であるＣＣＤ（ＣＭＯＳでも良い）１１と、筐体１０１の底面に設置された単一の駆動源であるモータ１２と、モータ１２の回転軸に連結されたネジ軸１３と、ネジ軸１３に螺合するネジ孔１４ａ及び筐体１０１の底面に植設されたガイド軸１５に係合するガイド孔１４ｂを備えたレンズ枠１４と、レンズ枠１４により保持されるレンズ１６と、筐体１０１の頂面に形成された凸部１０１ａに係合する開口１７ａを備えたアーム１７とを有している。尚、レンズ１６の上面には、被写体側の光学面の周囲に反射膜Ｍが形成され、その内縁が第１の絞りＡ１を構成する。筐体１０１の頂面（図１で背面）には、レンズ１６の光軸と同軸に開口１０１ｂが形成されている。
【００３０】
アーム１７は、凸部１０１ａの周囲に配置されたコイルバネ１８によって、ネジ軸１３の先端に形成された円板部１３ａに当接しており、第２の絞りＡ２を構成する開口１７ａを有している。第２の絞りＡ２は第１の絞りＡ１よりも径が小さい。尚、凸部１０１ａと円板部１３ａとは離隔しているので、円板部１３ａとアーム１７との間にはコイルバネ１８の付勢力によるフリクションが常に付与されている。尚、レンズ１６とレンズ枠１４とで第１の被駆動部材を構成し、アーム１７が第２の被駆動部材を構成し、回転軸であるネジ軸１３が第１の動力伝達機構を構成し、ネジ軸１３先端の円板部１３ａが第２の動力伝達機構を構成する。
【００３１】
本実施の形態の動作について説明する。通常撮影を所望する場合、モード設定ボタン１０２ａを押して通常撮影モードを設定すると、モータ１２がネジ軸１３を回転させ、通常撮影モードに最適な位置（図２で下方）にレンズ１６が到達するように、レンズ枠１４を移動（螺進）させる。尚、ここでは簡略化して示すために単一のレンズで図示しているが、フォーカシングやズーミングを行う機構としては、例えば特開２００２−１０７６１２に記載されている複数の光学系を駆動する構成を用いることができるので、その説明は省略する。
【００３２】
レンズ１６の移動のため図３で矢印Ａ方向にネジ軸１３が回転すると、円板部１３ａも矢印Ａ方向に回転し、フリクション（摩擦）によりアーム１７も矢印Ａ方向に回動し、筐体１０１に設けられたストッパ１０１ｃに当接して停止する（すなわちアーム１７は断続的に移動する）。この状態では、アーム１７の開口１７ａは、レンズ１６の光路より退避した状態となる。即ち、かかる状態では、第１の絞りＡ１が絞りとして機能するので、ユーザーが操作部１０２のレリーズボタンを押すことで、携帯電話機１００より比較的離れた被写体を適切に撮影することができる。尚、ストッパ１０１ｃ、１０１ｄは、必ずしも設ける必要はないが、回転量に応じて弾性体のストッパを設けることで、緩衝作用が期待できる。
【００３３】
一方、マクロ撮影を所望する場合、モード設定ボタン１０２ａを押してマクロ撮影モードを設定すると、モータ１２がネジ軸１３を回転させ、マクロ撮影モードに最適な位置（図２で上方）にレンズ１６が到達するように、レンズ枠１４を移動（螺進）させる。その際、レンズ１６の移動のため図３で矢印Ｂ方向にネジ軸１３が回転すると、円板部１３ａも矢印Ｂ方向に回転し、フリクションによりアーム１７も矢印Ｂ方向に回動し、筐体１０１に設けられたストッパ１０１ｄに当接して停止する。この状態では、アーム１７の開口１７ａは、レンズ１６の光路内に挿入された状態となる。即ち、かかる状態では、より径の小さな第２の絞りＡ２が絞りとして機能するので被写界深度が深くなり、ユーザーが操作部１０２のレリーズボタンを押すことで、携帯電話機１００より近接した被写体を適切に撮影することができる。
【００３４】
なお、本実施の形態ではアーム１７の開口１７ａを第２の絞りＡ２としているが、ここに収差補正用の光学素子（たとえばレンズ）を嵌め込むことも可能である。かかる場合、マクロ撮影時には、マクロ撮影モードに最適な位置にレンズ１６が移動すると共に、収差補正用光学素子が光路内に挿入されることで、より高画質な画像を取得することができる。更に、小型撮像装置の一部を遮蔽するバリヤ部材を設けて、第２の動力伝達機構（円板部１３ａ）を介して伝達された動力により、かかるバリヤ部材が小型撮像装置の一部を遮蔽する遮蔽位置と、前記小型撮像装置の一部を開放位置との間を移動するようになっていると好ましい。
【００３５】
図４は、第２の実施の形態における小型撮像装置を含む撮像装置（携帯電話であってもよい）の断面図である。ユニット化されていると好ましい小型カメラユニット２０は、筐体２０１の隔壁２０１ｃに設置された撮像素子であるＣＣＤ（ＣＭＯＳでも良い）２１と、筐体２０１の隔壁２０１ｃに設置された単一の駆動源であるモータ２２と、モータ２２の回転軸に連結されたネジ軸２３と、ネジ軸２３に螺合するネジ孔２４ａ及び筐体２０１の隔壁２０１ｂに植設されたガイド軸２５に係合するガイド孔２４ｂを備えたレンズ枠２４と、レンズ枠２４により保持されるレンズ２６と、を有している。筐体２０１の頂面には、レンズ２６の光軸と同軸に開口２０１ｂが形成されている。
【００３６】
ネジ軸２３に隣接して、棒状のロック部材２７が枢動可能に配置されている。ロック機構であるロック部材２７の図で下端には鈎部２７ａが設けられ、ロック部材２７を時計回りに付勢するバネ２９Ａの付勢力により、筐体２０１内に装填された被装填部材であるメモリカード（電池等でもよい）２８の凹部２８ａに係合している。なお、画像データを記憶するためのメモリカード２８は、装填された状態では、排出される方向にバネ２９Ｂにより付勢されている。ねじ軸２３及びレンズ枠２４が伝達手段を構成する。
【００３７】
本実施の形態の動作について説明する。撮影モードが設定されていない場合、レンズ枠２４およびレンズ２６は、図４で点線で示す位置にある、ここで、ユーザーが不図示の操作部を用いて撮影モードを設定すると、モータ２２がネジ軸２３を回転させ、撮影に最適な位置すなわちピントが合う位置（図２で実線で示す位置）にレンズ２６が到達するように、レンズ枠２４を移動させる。このとき、ロック部材２７の上端の係合部２７ｂは、レンズ枠２４に押されて、一旦図４で点線で示す位置へと退避するが、レンズ枠２４が図４で実線の位置以上に上昇すると、バネ２９Ａの付勢力により、ロック部材２７も実線で示す位置へと復帰する。その後、ユーザーが、メモリカード２８を装填すると、かかるメモリカード２８は、ロック部材２７の鈎部２７ａと凹部２８ａとの係合によりロックされ、その排出が阻止される。
【００３８】
撮影が終了し、撮影モードが解除されると、モータ２２がネジ軸２３を回転させ、図２で点線で示す待機位置にレンズ２６が到達するように、レンズ枠２４を移動させる。このとき、ロック部材２７は、レンズ枠２４に押されて点線で示す位置へと枢動するので、凹部２８ａから鈎部２７ａがはずれ（ロックが解除され）、バネ２９Ｂに付勢されてメモリカード２８は排出される。すなわち、撮影モードを解除するだけで、メモリカード２８を自動的に排出することが可能となる。尚、本実施の形態では撮影モードの設定・非設定に応じて、ロック部材２７をロック位置・解除位置へと移動させるようにしているが、これに限らず、例えばメインスイッチのオン・オフに応じて、ロック部材２７をロック位置・解除位置へと移動させることができることはいうまでもない。
【００３９】
又、撮影モード設定時に、メモリ交換等のためにメモリカードを抜き出しする必要が生じることもあるが、そのような場合には、不図示の抜き出しボタンを押すことで、モータ２２がネジ軸２３を回転させ、レンズ枠２４を一旦点線で示す位置へと移動させ、ロック解除後実線で示す位置へと戻るようになっているので、ユーザーが所望する任意のタイミングでメモリカードを抜き出しできる。又、ロック部材２７を可撓性のある部材から形成し、且つ棒状の部材２９Ｃ（点線で示す）をロック部材２７とハウジング２０１との間に挿入自在の構成とすることもできる。遮断手段を構成する棒状の部材２９Ｃをロック部材２７とハウジング２０１との間に挿入すれば、ロック部材２７は、レンズ枠２４に押されても図で上部が撓むだけで、凹部２８ａから鈎部２７ａがはずれずロックは解除されないこととなる。
【００４０】
図５は、第３の実施の形態における小型撮像装置を含む携帯電話機の一部断面図である。携帯電話機３００は、本体３０３と、ユニット化されていると好ましい小型撮像装置３０を収容した筐体３０１とを有している。本体３０３に対し、回動部である筐体３０１（携帯電話ならフリップに相当）は回動可能となっている。
【００４１】
小型カメラユニット３０は、筐体３０１の底面（図５（ａ）で右壁）に設置された撮像素子であるＣＣＤ（ＣＭＯＳでも良い）３１と、筐体３０１の底面に設置された単一の駆動源であるモータ３２と、モータ３２の回転軸に連結されたネジ軸３３と、ネジ軸３３に螺合するネジ孔３４ａと、不図示のガイド軸に係合するレンズ枠３４と、レンズ枠３４により保持されるレンズ３６と、を有している。筐体２０１の前面（図５（ａ）で左壁）には、レンズ３６の光軸と同軸に開口３０１ｂが形成されている。開口３０１ｂにはカバーガラス３０４が取り付けられている。
【００４２】
レンズ枠３４はピン３４ａを有しており、かかるピン３４ａにアーム３７が係合している。アーム３７は、セクターギヤ３８に固定されており、セクターギヤ３８は、筐体３０１の回転軸線と同軸になるよう本体３０３に固定設置された固定ギヤ３９に噛合している。なお、アーム３７は、筐体３０１に取り付けられたバネ４０により、反時計回り方向に付勢されているため、常にピン３４ａに係合していることとなる。アーム３７，セクターギヤ３８，及び固定ギヤ３９が伝達手段を構成する。
【００４３】
本実施の形態の動作について説明する。まず、撮影機能を有する携帯電話機３００は、図５（ｂ）に示す状態にあるものとする。ここで、携帯電話機３００を把持したユーザーが自分自身を撮影したい場合には、本体３０３に配置された自分撮りモード設定ボタン３０２ａを押す。すると、モータ３２がネジ軸３３を回転させ、自分撮り撮影に最適な位置すなわちピントが合う位置（図５（ａ）に示す位置）にレンズ３６が到達するように、レンズ枠３４を移動させる。このとき、レンズ枠３４のピン３４ａに当接するアーム３７は、ピン３４ａの移動に応じバネ４０の付勢力に従って回動するため、それと一体であるセクターギヤ３８が回転することから、筐体３０１は、図５（ａ）に示すように起きあがる。このとき、開口３０１ｂは、携帯電話機３００を把持するユーザー自身を向くので、本体３０３に設けられたレリーズボタン３０２ｃを押すことで、ユーザー自身の撮影が可能となる。
【００４４】
一方、比較的遠方の被写体を撮影したい場合には、本体３０３に配置された通常撮影モード設定ボタン３０２ｂを押す。すると、モータ３２がネジ軸３３を回転させ、比較的遠方の被写体の撮影に最適な位置すなわちピントが合う位置（図５（ｂ）に示す位置）にレンズ３６が到達するように、レンズ枠３４を移動させる。このとき、レンズ枠３４のピン３４ａが、バネ４０の付勢力に抗してアーム３７を回動させるため、それと一体であるセクターギヤ３８が回転することから、筐体３０１は、図５（ｂ）に示すように転倒する。このとき、開口３０１ｂは、ユーザーと反対側に位置する被写体を向くので、本体３０３に設けられたレリーズボタン３０２ｃを押すことで、被写体の撮影が可能となる。尚、本実施の形態では自分撮り撮影の設定・非設定に応じて、筐体３０１を回動させるようにしているが、これに限らず、例えばメインスイッチのオンに応じて、本体３０３に対して閉じていた筐体３０１を開くように回動させ、メインスイッチのオフに応じて、開いていた筐体３０１を本体３０３に閉じる（重ねる）ように回動させることも可能である。かかる場合、レンズ３６，ＣＣＤ３１等を本体３０３側に設ければ、筐体３０１は薄くなり蓋として機能することとなる。
【００４５】
以上、本発明を実施の形態を参照して説明してきたが、本発明は上記実施の形態に限定して解釈されるべきではなく、適宜変更・改良が可能であることはもちろんである。なお、レンズ駆動用モータにより駆動されるレンズ以外の部材としては、以上のべた以外にもアンテナなど種々のものがある。
【００４６】
【発明の効果】
本発明によれば、コンパクト且つ低コストでありながら、多機能な小型撮像装置を提供することができる。
【図面の簡単な説明】
【図１】携帯電話機１００に組み込んだ、本実施の形態における小型撮像装置１０の斜視図である。
【図２】図１のＩＩ−ＩＩ線における小型撮像装置１００の断面図である。
【図３】図２のＩＩＩ−ＩＩＩ線における小型撮像装置１００の断面図である。
【図４】第２の実施の形態における小型撮像装置を含む撮像装置（携帯電話であってもよい）の断面図である。
【図５】第３の実施の形態における小型撮像装置を含む携帯電話機の一部断面図である。
【符号の説明】
１００，３００  携帯電話機
２００  撮像装置
１０，２０，３０  小型撮像装置
１１，２１，３１  ＣＣＤ
１２，２２，３２  モータ
１７，２７  アーム
３７  ロック部材
【図１】
2004264712.tif 000003
【図２】
2004264712.tif 000004
【図３】
2004264712.tif 000005
【図４】
2004264712.tif 000006
【図５】
2004264712.tif 000007